(57)【要約】      （修正有）【課題】放熱フィンの設計により、ディスプレイカード上の熱エネルギーを放熱フィン上に伝導して放熱を加速させる、ディスプレイカード放熱装置の導流構造を提供する。【解決手段】ディスプレイカード放熱装置の導流構造は、主にディスプレイカード１上に設置された少なくとも１つの放熱フィン２と、該放熱フィン２上に設置された少なくとも１つの放熱モジュール３と、該ディスプレイカード１上に設置され、かつ該放熱フィン２を遮蔽する少なくとも１つの防護カバー４と、該防護カバー４上に定義され、かつ該放熱モジュール３と同一側にある少なくとも１つの第１導流部４１と、を含み、ディスプレイカード１の使用時に発生する熱エネルギーを放熱フィン２で吸収し、放熱モジュール３の運転により空気を迅速に流動させ、空気が防護カバー４上の第１導流部４１を通過できるため、防護カバー４内外の空気に対流を発生させ、ディスプレイカード１の迅速な放熱効果を達成する。【選択図】図２
0003214821.tif 000002
【実用新案登録請求の範囲】
【請求項１】
ディスプレイカード上に設置された少なくとも１つの放熱フィンと、
該放熱フィン上に設置された少なくとも１つの放熱モジュールと、
該ディスプレイカード上に設置され、かつ該放熱フィンを遮蔽する少なくとも１つの防護カバーと、
該防護カバー上に定義され、かつ該放熱モジュールと同一側にある少なくとも１つの第１導流部と、
を含むことを特徴とする、ディスプレイカード放熱装置の導流構造。
【請求項２】
前記防護カバーと前記ディスプレイカードの間、かつ該放熱フィンの一側に、少なくとも１つの第２導流部が定義されたことを特徴とする、請求項１に記載のディスプレイカード放熱装置の導流構造。
【請求項３】
前記防護カバー上の該放熱モジュールに対応する位置に、該放熱モジュールを収容する少なくとも１つの第３導流部が設けられたことを特徴とする、請求項２に記載のディスプレイカード放熱装置の導流構造。
【請求項４】
前記第１導流部、該第２導流部、該第３導流部が穿通孔であることを特徴とする、請求項３に記載のディスプレイカード放熱装置の導流構造。
【請求項５】
前記ディスプレイカードの一側に、該ディスプレイカードに電気的に接続された少なくとも１つの伝送導体部が設けられたことを特徴とする、請求項１に記載のディスプレイカード放熱装置の導流構造。
【請求項６】
前記放熱モジュールがファンであることを特徴とする、請求項１に記載のディスプレイカード放熱装置の導流構造。
【考案の詳細な説明】
【技術分野】
【０００１】
本考案はディスプレイカード放熱装置の導流構造に関し、特に、空気を円滑に流通させて、ディスプレイカードに迅速な放熱の効果を達成させる、ディスプレイカード放熱装置の導流構造に関する。
【背景技術】
【０００２】
科学技術の発展に伴い、人類は多くのツールを発明して生活をより便利にしている。中でもコンピューターは最も代表的な発明であると言え、コンピューターを通じて人々はインターネットに接続し、資料を探して知識を吸収したり、ゲームプレイや音楽、映画など各種エンターテイメントを楽しんだりすることができる。コンピューターは人類を情報爆発の時代へと突き進ませ、人類の生活を変化させている。コンピューター内にはディスプレイを駆動するディスプレイカードが設置されており、ディスプレイカードの動作時、ディスプレイカードは余分な熱を発生するため、ディスプレイカードの温度が上昇し、かつディスプレイカードの温度が上昇すると、ディスプレイカードが故障して動作しなくなるため、人々はディスプレイカード上に放熱装置を設置して、ディスプレイカードの温度を低下させている。最もよく見受けられる放熱装置は、放熱フィンを利用して空気と接触する面積を増加し、かつ放熱フィン上にファンを設置して空気を流動させ、さらに放熱装置上に保護カバーを設置して放熱装置を保護している。例えば中華民国特許証書第Ｍ３８７２８８号の「インターフェイスカードに用いる放熱装置の保護カバー構造」は、インターフェイスカードの放熱装置上に保護カバー構造を設け、インターフェイスカードの放熱装置を保護する効果を達成している。
【０００３】
しかしながら、上述のインターフェイスカードに用いる放熱装置の保護カバー構造は使用時に次のような問題と欠点が確実に存在し、改善が必要である。
【０００４】
保護カバーは放熱装置を防護する効果を達成することができる一方で、保護カバーが空気の流れを遮断してしまい、保護カバー内側及び保護カバー外側の空気を効果的に対流させることができず、放熱効果が低下してしまう。
【先行技術文献】
【特許文献】
【０００５】
【特許文献１】中華民国特許証書第Ｍ３８７２８８号明細書
【考案の概要】
【考案が解決しようとする課題】
【０００６】
このため、本考案の出願人は上述の欠点に鑑み、関連試料を収集し、多方面での評価と検討を経て、かつこの業界に従事して蓄積した長年の経験に基づき、度重なる試作と変更を重ね、この空気を円滑に流通させることで、ディスプレイカードに迅速に放熱させる効果を達することができるディスプレイカード放熱装置の導流構造の実用新案を設計するに至ったものである。
【０００７】
本考案の第１の主な目的は、放熱フィンの設計により、ディスプレイカード上の熱エネルギーを放熱フィン上に伝導し、ディスプレイカードの放熱を加速させる、ディスプレイカード放熱装置の導流構造を提供することにある。
【０００８】
本考案の第２の主な目的は、放熱モジュールの設計により、空気を迅速に流動させ、放熱フィンの温度低下を加速させる、ディスプレイカード放熱装置の導流構造を提供することにある。
【０００９】
本考案の第３の主な目的は、防護カバーの設計により、放熱フィンとディスプレイカードを保護することができる、ディスプレイカード放熱装置の導流構造を提供することにある。
【００１０】
本考案の第４の主な目的は、第１導流部の設計により、空気を円滑に流通させることができる、ディスプレイカード放熱装置の導流構造を提供することにある。
【課題を解決するための手段】
【００１１】
上述の目的を達成できる本考案のディスプレイカード放熱装置の導流構造は、主に、ディスプレイカード上に設置された少なくとも１つの放熱フィンと、該放熱フィン上に設置された少なくとも１つの放熱モジュールと、該ディスプレイカード上に設置され、該放熱フィンを遮蔽する少なくとも１つの防護カバーと、該防護カバー上に設置され、該放熱モジュールと同一側に定義された少なくとも１つの第１導流部を含み、ディスプレイカードの動作時、余分な熱エネルギーが生成されるが、ディスプレイカードの熱エネルギーが放熱フィン上に伝導され、放熱フィンを通じて空気と接触する表面積が増加されることで、熱エネルギーを迅速に空気と熱交換させるとともに、防護カバーが放熱フィンを遮蔽して防護機能を提供し、放熱モジュールの運転により空気を流動させ、第１導流部を介して防護カバー内と防護カバー外の空気を迅速に対流させ、ディスプレイカードの迅速な放熱の効果を達成することができる。
【００１２】
以下この考案について説明する。請求項１に記載するディスプレイカード放熱装置の導流構造は主に、ディスプレイカード上に設置された少なくとも１つの放熱フィンと、該放熱フィン上に設置された少なくとも１つの放熱モジュールと、該ディスプレイカード上に設置され、かつ該放熱フィンを遮蔽する少なくとも１つの防護カバーと、該防護カバー上に定義され、かつ該放熱モジュールと同一側にある少なくとも１つの第１導流部と、を含む。
【００１３】
請求項２に記載するディスプレイカード放熱装置の導流構造は、請求項１における該防護カバーと該ディスプレイカードの間、かつ該放熱フィンの一側に、少なくとも１つの第２導流部が定義される。
【００１４】
請求項３に記載するディスプレイカード放熱装置の導流構造は、請求項２における該防護カバー上の該放熱モジュールに対応する位置に、該放熱モジュールを収容する少なくとも１つの第３導流部が設けられる。
【００１５】
請求項４に記載するディスプレイカード放熱装置の導流構造は、請求項３における該第１導流部、該第２導流部、該第３導流部が穿通孔である。
【００１６】
請求項５に記載するディスプレイカード放熱装置の導流構造は、請求項１における該ディスプレイカードの一側に、該ディスプレイカードに電気的に接続された少なくとも１つの伝送導体部が設けられる。
【００１７】
請求項６に記載するディスプレイカード放熱装置の導流構造は、請求項１における該放熱モジュールがファンである。
【考案の効果】
【００１８】
上述の技術により、従来のインターフェイスカードに用いる放熱装置の保護カバー構造に存在する、空気を円滑に流通させることができないために、放熱フィンによって加熱された空気と防護カバー外の冷めた空気を効果的に対流させることができず、ディスプレイカードの放熱効率が低下する問題を解決することができ、本考案は上述の利点のとおり実用的な進歩性を達成している。
【図面の簡単な説明】
【００１９】
【図１】本考案の最良の実施例の立体図である。
【図２】本考案の最良の実施例の分解図である。
【図３】本考案の最良の実施例の実施を示す概略図である。
【考案を実施するための形態】
【００２０】
図１と図２に本考案の最良の実施例の立体図と分解図をそれぞれ示す。これらの図からはっきりと分かるように、本考案のディスプレイカード放熱装置の導流構造は、
ディスプレイカード１上に少なくとも１つの放熱フィン２が設置され、該ディスプレイカード１の一側に該ディスプレイカード１に電気的に接続された少なくとも１つの伝送導体部１１が設けられ、
該放熱フィン２上に少なくとも１つの放熱モジュール３が設置され、該放熱モジュール３がファンであり、
該ディスプレイカード１上に、かつ該放熱フィン２を遮蔽して、少なくとも１つの防護カバー４が設置され、該防護カバー４上の該放熱モジュール３と同一側に少なくとも１つの第１導流部４１が定義され、該防護カバー４と該ディスプレイカード１の間、かつ該放熱フィン２の一側に、少なくとも１つの第２導流部４２が定義され、
該防護カバー４上の該放熱モジュール３に対応する位置に、該放熱モジュール３を収容する少なくとも１つの第３導流部４３が設けられ、該第１導流部４１、該第２導流部４２、該第３導流部４３が穿通孔である。
【００２１】
同時に図１から図３に示す本考案の最良の実施例の立体図、分解図、実施を示す概略図を参照する。これらの図からはっきりと分かるように、ディスプレイカード１の動作時、余分な熱エネルギーが生成され、ディスプレイカード１の温度を低下させずに、その温度が継続して上昇すると、ディスプレイカード１が過熱によって故障し、ディスプレイカード１を正常に使用できなくなる。このため、放熱フィン２とディスプレイカード１を接触させ、ディスプレイカード１の熱エネルギーを放熱フィン２上に伝導する。該放熱フィン２は金属材質であり、熱伝導が速いという利点を備え、かつ放熱フィン２は表面積が大きいという特性があり、ディスプレイカード１を迅速に放熱させることができる。放熱フィン２とディスプレイカード１を保護するために、該放熱フィン２を遮蔽する防護カバー４が設置され、かつ防護カバー４上に第２導流部４２が設けられ、放熱モジュール３を収容でき、放熱モジュール３の運転によって、空気を迅速に流動させ、第１導流部４１、第２導流部４２、第３導流部４３等の穿通孔を介し、放熱フィン２と熱交換して加熱された空気と防護カバー４外の冷めた空気に円滑に対流を発生させ、空気があらゆる方向から放熱フィン２に流れるようにすることで、ディスプレイカード１を迅速に放熱させる効果を達することができる。また、該ディスプレイカード１に電気的に接続された伝送導体部１１は、ディスプレイカード１の端子であり、ディスプレイとディスプレイカード１を電気的に接続し、ディスプレイカード１がディスプレイを駆動して使用者が便利に操作できるようにする。
【００２２】
従って、全部の図面に示すように、本考案の使用時は従来の技術と比較して次の利点が存在する。
一、 放熱フィン２の設計により、ディスプレイカード１上の熱エネルギーを放熱フィン２上に伝導し、ディスプレイカード１の放熱を加速させる。
二、 放熱モジュール３の設計により、空気を迅速に流動させ、放熱フィン２の温度低下を加速させる。
三、 防護カバー４の設計により、放熱フィン２とディスプレイカード１を保護することができる。
四、 第１導流部４１、第２導流部４２、第３導流部４３の設計により、空気を円滑に流通させることができる。
【符号の説明】
【００２３】
１        ディスプレイカード
１１      伝送導体部
２        放熱フィン
３        放熱モジュール
４        防護カバー
４１      第１導流部
４２      第２導流部
４３      第３導流部
【図１】
0003214821.tif 000003
【図２】
0003214821.tif 000004
【図３】
0003214821.tif 000005